(57)【要約】      （修正有）【課題】安心して、また不慮の事故の発生にも速やかに対応して利用者の安全を守ることを目的とする一人カラオケ用個室を提供する。【解決手段】カラオケ音楽を再生する装置などがセットされたひとりカラオケを楽しむ個室であって、入口の扉と対向する個室正面に前記モニター画面を配置し、入口扉を背にした扉側が確認できるように前記モニター画面を設置した壁面側に鏡を設置してなる一人カラオケ用個室。そして、更には緊急事態が発生した場合には、その事態を知らせるために個室内には鏡を兼ねた表示パネルが設置されていて、不慮の事故の発生を視覚的に捉えることができる。この表示パネルは、鏡の裏側に設置されており、表示パネルが情報を表示したときに前記鏡を透過して情報が確認できるように、前記鏡をハーフミラーで構成してなる。このため通常は煩わしい表示パネルは表出していないが緊急時や顧客に知らせたいメッセージを簡単に知らせることができる。【選択図】図１
0003175149.tif 000002
【実用新案登録請求の範囲】
【請求項１】
カラオケ音楽を再生する装置と、カラオケの歌詞テロップを表示するモニター画面と、自分の声を拡声するマイクと、カラオケ音楽と自分の声をミックスした再生音楽を聴くヘッドホンとを格納したひとりカラオケを楽しむ個室であって、
前記個室には、入口の扉と対向する個室正面に前記モニター画面を配置し、入口扉を背にした扉側が確認できるように前記モニター画面を設置した壁面側に鏡を設置してなることを特徴とする一人カラオケ用個室。
【請求項２】
前記鏡の裏側に顧客への情報を表示できる表示パネルを配置し、情報を表示したときに前記鏡を透過して情報が確認できるように、前記鏡をハーフミラーで構成してなることを特徴とする前記請求項１記載の一人カラオケ用個室。
【請求項３】
前記表示パネルには、個室利用時間の残り時間も表示できることを特徴とする前記請求項１乃至２記載の一人カラオケ用個室。
【考案の詳細な説明】
【技術分野】
【０００１】  本考案は、カラオケを一人で楽しむ娯楽室に関するものである。
【背景技術】
【０００２】  今やカラオケは老若男女で楽しむ娯楽のひとつである。本考案の出願人も実用新案登録第３１２５５８４号を申請している。要するに今までは複数人、あるいはパーティーなどの多数でカラオケを楽しむ利用から、一人でカラオケを楽しんだり、またカラオケの練習として利用できるものへと変化していることを受けて、出願されたものである。【０００３】
【先行技術文献】
【特許文献】
【０００４】
【特許文献１】実用新案登録第３１３９７４５号公報
【特許文献２】特開平５−２１６４８６号公報
【考案の概要】
【考案が解決しようとする課題】
【０００５】  カラオケを１人で楽しむ個室環境は、特許文献にも挙げられるように今日までにも色々な事例がある。要するに、個室でカラオケを楽しむ為に最低限必要とする設備には、カラオケの音楽を聴くヘッドホンと歌詞テロップを表示するモニター画面と、歌いたい曲を選曲するリモコンと、自分の声を拡声するマイクと、個室そのもので個室カラオケの環境が整う。【０００６】  個室カラオケであるが故に、外部への音の漏れや、個人ひとりがカラオケを楽しむだけで済むことから、カラオケ音楽と自分の肉声をミックスした音は、ヘッドホンで聴くことが一般的で、このような個室カラオケに人気がある。【０００７】  その為、ひとりで歌に夢中になっていること、あるいはヘッドホンにより音楽と自分の声を聴いていることから、周囲からの妨害や、周囲の雑音や万が一の緊急事態に対する状況の変化が全く知り得ないという状況を生んでしまう。要するに、カラオケを１人で楽しむ個室環境は、カラオケに没頭していることで、全くの無防備な環境になっている為に、身の危険や天災などの不慮の事故については、何も防衛されていないというのが現状である。
【課題を解決するための手段】
【０００８】  本考案は、上述する個室環境でのカラオケを満喫し、また周囲からの妨害を阻止し、周囲の雑音や万が一の緊急事態に対する状況の変化をもいち早く認識できることを狙った一人カラオケ用個室を提供することにある。【０００９】  従って、上述の課題を解決するため請求項１には、カラオケ音楽を再生する装置と、カラオケの歌詞テロップを表示するモニター画面と、自分の声を拡声するマイクと、カラオケ音楽と自分の声をミックスした再生音楽を聴くヘッドホンとを格納したひとりカラオケを楽しむ個室であって、
前記個室には、入口の扉と対向する個室正面に前記モニター画面を配置し、入口扉を背にした扉側が確認できる鏡を、前記モニター画面を設置した壁面側に設置してなることを特徴とする一人カラオケ用個室。【００１０】  また請求項２では、前記鏡の裏側に顧客への情報を表示できるディスプレイを配置し、情報を表示したときに前記鏡を透過して情報が確認できるように、前記鏡をハーフミラーで構成してなる。【００１１】  また、請求項３の記載では、前記表示パネルには、個室利用時間の残り時間も表示できることも特徴である。【００１２】  要するに、個室内でカラオケを楽しむに当たり、ヘッドホンで再生する音楽を聴くという環境であることから、聴覚からの情報が一切得ることができなくなる。そのため、カラオケに没頭している時に、外部からの侵入を阻止する意味で、また万が一扉が開いたときには、その瞬間に扉の変化に気づけるように入口の扉と対向する個室正面に前記モニター画面を配置し、入口扉を背にした扉側が確認できる鏡を、前記モニター画面を設置した壁面側に設置してなる。【００１３】  そして、更には緊急事態が発生した場合には、その事態を知らせるために個室内には鏡を兼ねた表示パネルが設置されていて、不慮の事故の発生を視覚的に捉えることができる。この表示パネルは、鏡の裏側に設置されており、表示パネルが情報を表示したときに前記鏡を透過して情報が確認できるように、前記鏡をハーフミラーで構成してなる。このため通常は煩わしい表示パネルは表出していないが緊急時や顧客に知らせたいメッセージを簡単に知らせることができる。【００１４】  また、表示パネルには緊急事態の発生を表示する以外にも、個室利用時間も表示することで、個室利用者に対する注意喚起を促すことができる。
【図面の簡単な説明】
【００１５】
【図１】  本考案の概念を示すイメージ図である。
【図２】  入口扉側から個室内を見たときのイメージ図である。
【図３】  表示パネルに表示される、アラート内容の一例と、鏡を兼ねた表示パネルの概念図である。
【考案を実施するための形態】
【００１６】  本考案の実施形態を図面に基づいて説明する。
【実施例】
【００１７】  図１は本考案の概念を示すイメージ図である。大人ひとりが入室でき、カラオケを楽しむのに最低限のシステムとして、カラオケを再生する装置（１）と、カラオケの音楽を聴くヘッドホン（４）と歌詞テロップを表示するモニター画面（２）と、歌いたい曲を選曲するリモコンと、自分の声を拡声するマイク（３）と、これらを格納する個室（５）そのもので個室カラオケの環境が整っている。【００１８】  個室（５）には入口扉（６）があり、この入口扉（６）を閉めることで個室（５）内と外とは簡易的ではあるが遮音ができる。また同時に入口扉（６）には、個室（５）内からは不用意に開けることができない簡易施錠（７）を設けても良い。これにより、外部からの侵入者を阻止することができるとともに、他の顧客が不用意に開閉することもなくなる。【００１９】  但し、この入口扉（６）には店舗スタッフであれば自由に入口扉（６）の簡易施錠（７）を開けることができるようになっており、万一個室（５）内で利用者が不徳の事態に陥っていた場合には、解錠して入室することも可能である。【００２０】  さて、本考案の一人カラオケ用個室の特徴は、個室（５）内でカラオケに夢中になっている時、入口扉（６）と対向する個室正面に前記モニター画面を配置し、入口扉（６）を背にした入口扉側が確認できる鏡を、前記モニター画面を設置した壁面側に設置してなることが特徴となっている。【００２１】  このことで、個室利用者は、カラオケに夢中になっていても瞬時に対応できる。また、この個室には、万が一の不慮の事故や危険性のある事変が起こった場合には、個室（５）内に設置されている鏡（７）にも緊急事態を視覚的に知らせる手段が取られていることで、利用者に対しても速やかにその状況を知らせることができる。【００２２】  次に、図２に示すのは入口扉側から個室内を見たときのイメージ図である。利用者はカラオケを楽しむのに、カラオケ装置（１）やモニター画面（２）のある方向に座り、選曲したりモニター画面（２）に表示される歌詞テロップを見るのが通常の姿勢位置となる。即ち、利用者の背面が入口扉（６）となる。【００２３】  従って、利用者はモニター画面（２）のやや上方向にある鏡（７）に視線を移すことで、利用者の背面にあたる入口扉（７）を図２の図中に示す点線のごとく、通常の姿勢でも背面の入口扉（７）の状態を確認することができる。【００２４】  また、この鏡（７）はハーフミラー構造となっていることから、通常は鏡としての役割として機能するが、万一の事故やあるいは、店側からの注意や指示がなされた場合には、通常の姿勢でカラオケを楽しみながら、やや視線を天井方向に移すことで、利用者に対する注意勧告を行うことができる。【００２５】  そこで、図３に示す鏡（７）に表示されるアラート内容の一例と、鏡（７）の概念を説明する。鏡（７）には、概ね２つの情報を表示することできる。ひとつは、緊急時の避難を勧告する表示である。【００２６】  この表示は、天災や火災などカラオケを楽しんでいる利用者からすれば、聴覚的には大音響で楽しんでいる状況下にあることから、視覚的に注意を喚起するのは非常に有効な方法である。勿論、緊急事態には店の操作によりカラオケ音楽の再生も���止することから、利用者としても異変に気が付くが、鏡（７）に表示されるアラート内容により、どのような事態が起きたかを即刻知ることができる。【００２７】  緊急時のアラート表示例としては、「緊急事態発生！後ろ側の扉（６）より速やかに退避ください」などの文言を表示して利用者に注意と指示を促すものである。
また、利用者の個室（５）利用時間が迫ってきた場合にも、「利用時間は残り１０分です。退出の準備をしてください」などの表示も可能である。【００２８】  鏡（７）には、固定の文言以外にも情報伝達的な文言も表示できるようにしておけば、ニュースや新曲情報などリアルタイムでの伝達手段としても活用できる。【００２９】  本考案によれば、ひとりでカラオケを楽しむ際にも、個室の異常を素早く確認でき、個室内での身分を安心に保てることができ、カラオケを楽しむことだけに専念できる。また、万一の不慮の事故が発生した場合にも、鏡で事態の情報を知らしめることができるなど、今までに無い個室カラオケを満喫できるものである。【００３０】  上述する本考案により、女性や学生がひとりカラオケを楽しむ場合にも、安心して思う存分カラオケで気分のリフレッシュをすることができる。
【符号の説明】
【００３１】  １・・・カラオケ装置
２・・・モニター画面
３・・・マイク
４・・・ヘッドホン
５・・・カラオケ個室
６・・・入口扉
７・・・鏡（ハーフミラー表示パネル）
【図１】
0003175149.tif 000003
【図３】
0003175149.tif 000004
【図２】
0003175149.tif 000005
【手続補正書】
【提出日】平成23年12月21日(2011.12.21)
【手続補正１】
【補正対象書類名】図面
【補正対象項目名】図１
【補正方法】変更
【補正の内容】
【図１】
0003175149.tif 000006